(57)【要約】【課題】横長ルーバーの熱伸縮をスムーズに逃がすことができ、横長ルーバーの曲がりなどを生じることがない目隠し構造体を提供する。【解決手段】上下にオーバーラップさせて並べた横長ルーバー３の端部に断面がコ字形の内枠５を被着し、側面が全長に亘って開口した左右の竪枠１の内部に内枠５を横長ルーバー３の長さ方向に移動可能となるように内装して、横長ルーバー３の端部を竪枠１の開口１ａから内部へ突入させた状態で左右の竪枠１間に横長ルーバー３を取付け、左右の竪枠１の上端間及び下端間に横枠を取付けた構成の目隠し構造体とする。横長ルーバー３が熱伸縮すると、横長ルーバーの端部に被着された内枠５が左右の竪枠１内部で横長ルーバー３の長さ方向に移動して横長ルーバー３の熱伸縮を逃がすことができる。従って、横長ルーバーの曲がりなどを生じる心配はない。【選択図】図３
2005264440.tif 000002
【特許請求の範囲】
【請求項１】
複数枚の横長ルーバーをオーバーラップさせて上下に並べると共に、これらの横長ルーバーの左右端部に断面がコ字形の内枠を被着し、相対向する側面が全長に亘って開口した左右の竪枠の内部に上記の内枠を横長ルーバーの長さ方向に移動可能となるように内装して、横長ルーバーの左右端部を左右の竪枠の開口から内部へ突入させた状態で左右の竪枠間に横長ルーバーを取付け、左右の竪枠の上端間及び下端間に横枠を取付けたことを特徴とする目隠し構造体。
【請求項２】
左右の竪枠の内部に断面がコ字形の内枠保持体を設け、この内枠保持体の内側に内枠を横長ルーバーの長さ方向に移動可能となるように保持させたことを特徴とする請求項１に記載の目隠し構造体。
【請求項３】
内枠保持体の相対向する内面に複数の凸条を形成したことを特徴とする請求項２に記載の目隠し構造体。
【請求項４】
横長ルーバーの端部に内枠を摺動可能に被着して、横長ルーバーの端部と内枠の奥壁部との間に空間部を設けると共に、この空間部に軟質発泡体を充填し、止具を内枠の奥壁部の外側から横長ルーバーの端部にねじ込んで、横長ルーバーの端部が止具と固定関係になるように、かつ、内枠及び軟質発泡体が止具と非固定関係になるようにしたことを特徴とする請求項１又は請求項２に記載の目隠し構造体。
【請求項５】
横長ルーバーの端部に内枠を被着して、横長ルーバーの端部と内枠の奥壁部との間に空間部を設けると共に、この空間部に軟質発泡体を充填し、止具を内枠の奥壁部の外側から横長ルーバーの端部にねじ込んで、内枠及び横長ルーバーの端部が止具と固定関係になるようにしたことを特徴とする請求項１又は請求項２に記載の目隠し構造体。
【請求項６】
横長ルーバーの端部に内枠を被着し、止具を内枠の奥壁部の外側から横長ルーバーの端部にねじ込んで、内枠及び横長ルーバーの端部が止具と固定関係になるようにしたことを特徴とする請求項１又は請求項２に記載の目隠し構造体。
【請求項７】
複数枚の横長ルーバーをオーバーラップさせて上下に並べ、これらの横長ルーバーの左右端部に断面がコ字形の内枠を摺動可能に被着して、横長ルーバーの端部と内枠の奥壁部との間に空間部を設け、止具を内枠の奥壁部の外側から横長ルーバーの端部にねじ込んで、横長ルーバーが止具と固定関係になるように、かつ、内枠が止具と非固定関係になるようにすると共に、相対向する側面が全長に亘って開口した左右の竪枠の内部に上記の内枠を内装して、横長ルーバーの左右端部を左右の竪枠の開口から内部へ突入させた状態で左右の竪枠間に横長ルーバーを取付け、左右の竪枠の上端間及び下端間に横枠を取付けたことを特徴とする目隠し構造体。
【発明の詳細な説明】
【技術分野】
【０００１】
本発明は、出窓等に取付けられる防犯に有効な目隠し構造体に関する。
【背景技術】
【０００２】
従来の出窓等に取付けられる目隠し構造体（ルーバー型ブラインド）としては、例えば合成樹脂製の横長のルーバー（ブレード）を上下にオーバーラップさせて複数枚並べ、左右の竪枠と上下の横枠とで形成される方形の枠体の内側に上記のルーバーを取付けた構造を有するものが知られている（特許文献１）。
【０００３】
かかる目隠し構造体は、ルーバーが上下にオーバーラップして外部から覗かれることがないため目隠しに有効であり、しかも、オーバーラップするルーバー相互の隙間を通して空気が出入りするため室内の換気も可能である。
【０００４】
しかしながら、合成樹脂製の横長のルーバーは線膨張係数が大きいため、直射日光や気温変化による熱伸縮が激しく、その伸びが左右の竪枠により抑えられてルーバーが曲がるといった問題点が指摘されていた。
【特許文献１】特開２０００−２４８８５８号公報
【発明の開示】
【発明が解決しようとする課題】
【０００５】
本発明は上記の問題点に対処すべくなされたもので、ルーバーの熱伸縮をスムーズに逃がすことができ、ルーバーの曲がりなどを生じることがない目隠し構造体の提供を解決課題としている。
【課題を解決するための手段】
【０００６】
上記の課題を解決するため、本発明の目隠しルーバーは、複数枚の横長ルーバーをオーバーラップさせて上下に並べると共に、これらの横長ルーバーの左右端部に断面がコ字形の内枠を被着し、相対向する側面が全長に亘って開口した左右の竪枠の内部に上記の内枠を横長ルーバーの長さ方向に移動可能となるように内装して、横長ルーバーの左右端部を左右の竪枠の開口から内部へ突入させた状態で左右の竪枠間に横長ルーバーを取付け、左右の竪枠の上端間及び下端間に横枠を取付けたことを特徴とするものである。
【０００７】
この目隠し構造体においては、左右の竪枠の内部に断面がコ字形の内枠保持体を設け、この内枠保持体の内側に内枠を横長ルーバーの長さ方向に移動可能となるように保持させることが望ましい。そして、内枠保持体の相対向する内面に複数の凸条を形成することが望ましい。
【０００８】
また、横長ルーバーの端部に内枠を摺動可能に被着して、横長ルーバーの端部と内枠の奥壁部との間に空間部を設けると共に、この空間部に軟質発泡体を充填し、止具を内枠の奥壁部の外側から横長ルーバーの端部にねじ込んで、横長ルーバーの端部が止具と固定関係になるように、かつ、内枠及び軟質発泡体が止具と非固定関係になるように構成するか、
或いは、横長ルーバーの端部に内枠を被着して、横長ルーバーの端部と内枠の奥壁部との間に空間部を設けると共に、この空間部に軟質発泡体を充填し、止具を内枠の奥壁部の外側から横長ルーバーの端部にねじ込んで、内枠及び横長ルーバーの端部が止具と固定関係になるように構成するか、
或いは、横長ルーバーの端部に内枠を被着し、止具を内枠の奥壁部の外側から横長ルーバーの端部にねじ込んで、内枠及び横長ルーバーの端部が止具と固定関係になるように構成することが望ましい。
【０００９】
上記の課題を解決する本発明のもう一つの目隠し構造体は、複数枚の横長ルーバーをオーバーラップさせて上下に並べ、これらの横長ルーバーの左右端部に断面がコ字形の内枠を摺動可能に被着して、横長ルーバーの端部と内枠の奥壁部との間に空間部を設け、止具を内枠の奥壁部の外側から横長ルーバーの端部にねじ込んで、横長ルーバーが止具と固定関係になるように、かつ、内枠が止具と非固定関係になるようにすると共に、相対向する側面が全長に亘って開口した左右の竪枠の内部に上記の内枠を内装して、横長ルーバーの左右端部を左右の竪枠の開口から内部へ突入させた状態で左右の竪枠間に横長ルーバーを取付け、左右の竪枠の上端間及び下端間に横枠を取付けたことを特徴とするものである。
【発明の効果】
【００１０】
本発明の目隠し構造体では、横長ルーバーが熱伸縮すると、横長ルーバーの左右端部に被着された内枠が左右の竪枠内部で横長ルーバーの長さ方向に移動して横長ルーバーの熱伸縮を逃がすことができる。従って、横長ルーバーの曲がりなどを生じる心配はない。
【００１１】
特に、竪枠の内部に内枠保持体が設けられ、該保持体の内側に内枠が横長ルーバーの長さ方向に移動可能に保持されている目隠し構造体は、内枠保持体と横長ルーバー端部の内枠とが適度な摩擦力によって滑らかに摺動するので、スムーズに熱伸縮を吸収することができ、また、内枠保持体で内枠や横長ルーバー端部の振動等を吸収することもできる。そして、内枠保持体の相対向する内面に複数の凸条を形成した目隠し構造体は、該凸条によって横長ルーバーの端部の内枠が一層滑らかに摺動するようになり、熱伸縮の吸収が更にスムーズになる。
【００１２】
また、横長ルーバーの端部に内枠を摺動可能に被着して、横長ルーバーの端部と内枠の奥壁部との間に空間部を設けると共に、この空間部に軟質発泡体を充填し、止具を内枠の奥壁部の外側から横長ルーバーの端部にねじ込んで、横長ルーバーの端部が止具と固定関係になるように、かつ、内枠及び軟質発泡体が止具と非固定関係になるように構成した目隠し構造体は、軟質発泡体によって横長ルーバーの端部と内枠とのガタツキ等を緩和でき、横長ルーバーの熱伸長もある程度まで軟質発泡体によって吸収することができる。そして、軟質発泡体によって横長ルーバーの熱伸長を吸収しきれなくなると、内枠が竪枠の内部又は内枠保持体の内部で移動し、止具の頭部が竪枠の奥壁面又は内枠保持体の奥壁部に当たるまで横長ルーバーの熱伸長を吸収することができる。
【００１３】
また、横長ルーバーの端部に内枠を摺動可能に被着して、横長ルーバーの端部と内枠の奥壁部との間に空間部を設けると共に、この空間部に軟質発泡体を充填し、止具を内枠の奥壁部の外側から横長ルーバーの端部にねじ込んで、内枠及び横長ルーバーの端部が止具と固定関係になるように構成した目隠し構造体は、軟質発泡体によって横長ルーバーの端部と内枠とのガタツキ等を緩和でき、横長ルーバーが熱伸長すると、内枠が竪枠の内部又は内枠保持体の内部で移動して、止具の頭部又は内枠の奥壁部が竪枠の奥壁面又は内枠保持体の奥壁部に当たるまで横長ルーバーの熱伸長を吸収することができる。
【００１４】
そして、横長ルーバーの端部に内枠を被着し、止具を内枠の奥壁部の外側から横長ルーバーの端部にねじ込んで、内枠及び横長ルーバーの端部が止具と固定関係になるように構成した目隠し構造体も、横長ルーバーが熱伸長すると、内枠が竪枠の内部又は内枠保持体の内部で移動して、止具の頭部又は内枠の奥壁部が竪枠の奥壁面又は内枠保持体の奥壁部に当たるまで横長ルーバーの熱伸長を吸収することができる。。
【００１５】
また、上述した本発明のもう一つの目隠し構造体は、横長ルーバーが熱伸縮すると、横長ルーバーの端部が内枠の内部で移動し、横長ルーバーの端部が内枠の奥壁部に当たるまで、又は、止具の頭部が竪枠の奥壁面に当たるまで、横長ルーバーの熱伸長を吸収することができる。
【発明を実施するための最良の形態】
【００１６】
以下、図面を参照して本発明の具体的な実施形態を詳述する。
【００１７】
図１は本発明の一実施例に係る目隠し構造体の正面図、図２は図１のＡ−Ａ線拡大断面図、図３は図１のＢ−Ｂ線拡大断面図、図４は横長ルーバーが熱伸長したときのＢ−Ｂ線拡大断面図、図５は横長ルーバーが更に熱伸長したときのＢ−Ｂ線拡大断面図である。
【００１８】
この目隠し構造体は、左右の竪枠１，１と、該竪枠１，１の上端間及び下端間に取付けられた横枠２，２によって方形の枠体が形成されており、その内側に複数枚の横長ルーバー３が組み込まれている。
【００１９】
左右の竪枠１，１及び上下の横枠２，２は、いずれもアルミニウムの押出型材からなるもので、図３に示すように竪枠１は略正方形の筒状の断面形状を有しており、竪枠１，１の相対向する側面は、図２，図３に示すように全長に亘って帯状に開口されている。そして、この竪枠１の開口１ａには、横長ルーバー３の端部が突入されている。また、図３に示すように、竪枠１の前後側面には、ビスねじ込み部１ｂ，１ｂと、内枠保持体４のフランジ４ａを係合させる係合片１ｃ，１ｃが内方に突設されている。
【００２０】
一方、横枠２は図２に示すような略長方形の筒状の断面形状を有するもので、背面には取付片２ａ，２ａが突設されている。そして、この横枠２は、図１に示すように左右の竪枠１，１の上端間及び下端間に架け渡され、図２に示すようにビス７，７を竪枠１の前記ビスねじ込み部１ｂ，１ｂにねじ込むことによって固定されている。
【００２１】
横長ルーバー３は、無機粒子等を配合したり表面に細かい凹凸を形成することによって透視できないようにした、全光線透過率の高い採光性に優れたポリカーボネート等の合成樹脂の成形体であって、図２に示すように、垂直板３ａと、垂直板３ａの上端から後ろ上がりに傾斜する上部傾斜板３ｂと、垂直板３ａの下端から後ろ下がりに傾斜する下部傾斜片３ｃと、上部傾斜板３ｂの後端から垂直に立ち上がる立上がり片３ｄとを備えたものであり、垂直板３ａと上部傾斜板３ｂとの屈曲部、及び、垂直板３ａと下部傾斜片３ｃとの屈曲部には、止具孔３ｅ，３ｅが形成されている。
【００２２】
図１、図２に示すように、上記の横長ルーバー３は、下部傾斜片３ｃと立上がり片３ｄとが隙間をあけてオーバーラップするように上下に複数枚並べられ、図３に示すように横長ルーバー３の端部には断面がコ字形のアルミニウム製の内枠５が摺動可能に被着されている。そして、この内枠５の奥壁部５ａと横長ルーバー３の端部との間の空間に合成樹脂の軟質発泡体６が充填され、内枠５の奥壁部５ａの外側から止具（ビス）８が横長ルーバー３の端部の止具孔３ｅにねじ込まれている。この止具８は、内枠５の奥壁部５ａに形成された孔（不図示）と、軟質発泡体６に形成された孔（不図示）に遊挿されており、そのため、横長ルーバー３の端部と止具８は固定関係にあるけれども、内枠５及び軟質発泡体６は止具８と非固定関係になっている。
【００２３】
上記の内枠５を保持する内枠保持体４は、コ字形の断面を有する硬質ゴムやアルミニウムや硬質樹脂などからなる保持体であって、図３に示す硬質ゴム製の内枠保持体４にあっては、該保持体４の開口が竪枠１の前記開口１ａと重なるように竪枠１に内装されており、その開口両側縁のフランジ４ａ，４ａが竪枠１の前記係合片１ｃ，１ｃと係合して固定されている。そして、この内枠保持体４の奥壁部４ｃからヒレ部４ｂが外側に突設され、このヒレ部４ｂが竪枠１の奥壁面１ｄに弾接してガタツキを生じないように内枠保持体４が安定良く竪枠１に内装されている。
【００２４】
横長ルーバー３は、その端部が図３に示すように竪枠１の開口１ａから内部へ突入した状態で左右の竪枠１，１間に取付けられており、この端部に被着された内枠５が内枠保持体４によって横長ルーバー３の長さ方向に移動可能となるようにガタツキなく保持されている。
【００２５】
上記構成の目隠し構造体を出窓等に取付けると、上下に隣接する横長ルーバー３の下部傾斜片３ｃと立上がり片３ｄがオーバーラップして外部から覗かれることがないため目隠しに有効であり、また、オーバーラップする下部傾斜片３ｃと立上がり片３ｄの間から空気が出入りするため室内を換気することもできる。そして、横長ルーバー３の外側に面する部分には、ルーバー３の上下端が露出しないので、外部から切断することが困難であり、防犯上有効である。
【００２６】
この目隠し構造体の横長ルーバー３が直射日光や気温の上昇で熱膨張（伸長）すると、図４に示すように横長ルーバー３の端部が内枠５の内部を摺動し、軟質発泡体６が圧縮されて横長ルーバー３の熱伸長がある程度まで吸収される。そして、軟質発泡体６によって横長ルーバー３の熱伸長を吸収しきれなくなると、図５に示すように内枠５が内枠保持体４の内部を奥壁部４ｃへ向かって移動し、止具８の頭部が内枠保持体４の奥壁部４ｃに当たるまで（止具８の頭部が突出していない場合は内枠５の奥壁部５ａが内枠保持体４の奥壁部４ｃに当たるまで）横長ルーバー３の熱伸長が吸収される。特に、この実施形態の目隠し構造体のように硬質ゴム製の内枠保持体４の奥壁部４ｃのヒレ４ｂを竪枠１の奥壁面１ｄに弾接させて隙間を設けてあると、更に横長ルーバー３が熱伸長した場合でも、内枠保持体４の奥壁部４ｃが止具８の頭部で押されて変形しながら熱伸長を吸収することができる。一方、気温の低下等によって横長ルーバー３が熱収縮すると、上記と逆動作をして元の図３の状態に戻ることになる。この目隠し構造体は上記のように横長ルーバー３の熱伸縮を十分逃がすことができるので、横長ルーバー３の曲がりなどを生じる心配が解消される。なお、横長ルーバーの熱伸長は、上記とは逆に、まず内枠５が移動し、その後に軟質発泡体６が圧縮されて吸収される場合もあり、これを除外するものではない。
【００２７】
また、この目隠し構造体のように、竪枠１の内部に内枠保持体４を設けて該保持体４の内側に横長ルーバー３の端部の内枠５を保持させていると、内枠保持体４と横長ルーバー３の端部の内枠５が適度な摩擦力によって滑らかに摺動するため、スムーズに熱伸縮を吸収することが可能となり、また、内枠保持体４が硬質ゴム製であると内枠５の振動やガタツキをなくすことも可能となる。更に、この目隠し構造体のように、内枠５の奥壁部５ａと横長ルーバー３の端部との間の空間に軟質発泡体６を充填してあると、この軟質発泡体６によって横長ルーバー３の端部と内枠５とのガタツキを緩和することも可能となる。
【００２８】
図６は本発明の他の実施例に係る目隠し構造体の部分拡大断面図、図７は横長ルーバーが熱伸長したときの同目隠し構造体の部分拡大断面図である。
【００２９】
この目隠し構造体にあっては、横長ルーバー３の端部と、該端部に被着された内枠５の奥壁部５ａとの間の空間部に軟質発泡体６が充填され、内枠５の奥壁部５ａの外側から止具（ビス）８が横長ルーバー３の端部の止具孔３ｅにねじ込まれている。この止具８は、内枠５の奥壁部５ａに形成されたネジ孔（不図示）にねじ込まれ、軟質発泡体６に形成された孔（不図示）に遊挿されており、そのため、内枠５及び横長ルーバー３の端部と止具８とは固定関係にあるけれども、軟質発泡体６と止具８とは非固定関係になっている。なお、止具８を軟質発泡体６の孔にタッピングをきりながらねじ込んで、軟質発泡体６と止具８を固定関係となるようにしてもよい。この目隠し構造体の他の構成は、前述した図１〜図５に示す目隠し構造体と同様であるので、図６，図７において同一部材に同一符号を付して説明を省略する。
【００３０】
このような目隠し構造体は、横長ルーバー３及び内枠５が止具８と固定関係にあるため、横長ルーバー３が熱膨張（伸長）すると、図７に示すように内枠５も横長ルーバー３の端部と一緒に内枠保持体４の内部を奥壁部４ｃへ向かってスムーズに摺動し、止具８の頭部が内枠保持体４の奥壁部４ｃに当たるまで（止具８の頭部が突出していない場合は内枠５の奥壁部５ａが内枠保持体４の奥壁部４ｃに当たるまで）、横長ルーバー３の熱伸長を吸収することができる。そして、横長ルーバー３が更に熱伸長した場合でも、内枠保持体４の奥壁部４ｃが止具８の頭部で押されて変形しながら熱伸長を吸収することができる。一方、横長ルーバー３が熱収縮すると、上記と逆動作をして元の図６の状態に戻ることになる。上記のように、この目隠し構造体も横長ルーバー３の熱伸縮を十分逃がすことができるので、横長ルーバー３の曲がりなどを生じる心配がない。また、硬質ゴム製の内枠保持体４や軟質発泡体６によって、内枠５や横長ルーバー３の振動、ガタツキ等をなくすこともできる。なお、本実施例において、軟質発泡体６を充填することは必須ではなく、充填しなくても同様に熱伸長を吸収することができる。
【００３１】
図８は本発明の更に他の実施例に係る目隠し構造体の部分拡大断面図、図９は横長ルーバーが熱伸長したときの同目隠し構造体の部分拡大断面図である。
【００３２】
この目隠し構造体にあっては、横長ルーバー３の端部と内枠５の奥壁部５ａとの間に隙間があかないように内枠５が横長ルーバー３の端部に被着され、内枠５の奥壁部５ａの外側から止具（ビス）８が横長ルーバー３の端部の止具孔３ｅにねじ込まれている。この止具８は、内枠５の奥壁部５ａに形成されたネジ孔（不図示）に遊挿されているが、止具８の頭部で内枠５の奥壁部５ａを押圧固定しているため、内枠５及び横長ルーバー３の端部と止具８は固定関係になっている。
【００３３】
また、内枠保持体４の対向する内面には、略半円形の断面を有する凸条４ｄが間隔をあけて複数条ずつ形成されており、内枠保持体４の内部での内枠５の摺動が更に滑らかになるように工夫されている。また、内枠保持体４の奥壁部には、先端の膨出した突片４ｅが外側に向かって突設されており、この突片４ｅを竪枠１の奥壁面１ｄの蟻溝１ｅに嵌着することで、内枠保持体４が安定良く竪枠１の内部に取付固定されている。この目隠し構造体の他の構成は、前述した図１〜図５に示す目隠し構造体と同様であるので、図８，図９において同一部材に同一符号を付して説明を省略する。
【００３４】
このような目隠し構造体は、横長ルーバー３及び内枠５が止具８と固定関係にあるため、横長ルーバー３が熱膨張（伸長）すると、図９に示すように横長ルーバー３の端部と内枠５が一緒に内枠保持体４の内部を奥壁部４ｃへ向かって摺動し、止具８の頭部が内枠保持体４の奥壁部４ｃに当たるまで（止具８の頭部が突出していない場合は内枠５の奥壁部５ａが内枠保持体４の奥壁部４ｃに当たるまで）、横長ルーバー３の熱伸長を吸収することができる。この内枠５の摺動は、内枠保持体４の内面に凸条４ｄが形成されているため極めてスムーズであり、内枠保持体４が褶曲、変形する心配は全くない。一方、横長ルーバー３が熱収縮すると、上記と逆動作をして元の図８の状態に戻ることになる。上記のように、この目隠し構造体も横長ルーバー３の熱伸縮を十分逃がすことができるので、横長ルーバー３の曲がりなどを生じる心配がない。
【００３５】
図１０は本発明の更に他の実施例に係る目隠し構造体の部分拡大断面図、図１１は横長ルーバーが熱伸長したときの同目隠し構造体の部分拡大断面図である。
【００３６】
この目隠し構造体は、横長ルーバー３の端部と内枠５の奥壁部５ａとの間に隙間が形成されるように、内枠５が横長ルーバー３の端部に摺動可能に被着され、内枠５の奥壁部５ａの外側から止具（ビス）８が横長ルーバー３の端部の止具孔３ｅにねじ込まれている。この止具８は、内枠５の奥壁部５ａに形成された孔（不図示）に遊挿されているため、横長ルーバー３の端部と止具８は固定関係にあるけれども、内枠５と止具８は非固定関係になっている。また、内枠５は内枠保持体４の内部に摺動しないように保持されている。この目隠し構造体の他の構成は、前述した図１〜図５に示す目隠し構造体と同様であるので、図１０，図１１において同一部材に同一符号を付して説明を省略する。
【００３７】
このような目隠し構造体は、横長ルーバー３が熱膨張（伸長）すると、図１１に示すように横長ルーバー３の端部が内枠５の奥壁部５ａに向かって摺動し、止具８の頭部が内枠保持体４の奥壁部４ｃに当たるまで横長ルーバー３の熱伸長を吸収することができる。そして、横長ルーバー３が熱収縮すると、上記と逆動作をして元の図１０の状態に戻ることになる。このように、この目隠し構造体も横長ルーバー３の熱伸縮を十分逃がすことができるので、横長ルーバー３の曲がりなどを生じる心配がない。
【００３８】
図１２は本発明の更に他の実施例に係る目隠し構造体を示す部分拡大断面図である。
【００３９】
この目隠し構造体は、開口１ａを形成した角筒状の断面を有するアルミニウム製の竪枠１の内側に、コ字形の断面形状を有するアルミニウム製の内枠保持体４が一体に設けられており、この内枠保持枠４と竪枠１の前後側壁との間に角孔状のビスねじ込み部１ｂ，１ｂが形成されている。そして、図８の目隠し構造体と同様に、横長ルーバー３の端部に内枠５が隙間なく被着され、内枠５の奥壁部５ａの外側から止具（ビス）８が横長ルーバー３の端部の止具孔３ｅにねじ込まれて、内枠５及び横長ルーバー３の端部と止具８とが固定関係になっている。その他の構成は、前述した図１〜図５に示す目隠し構造体と同様であるので、説明を省略する。なお、内枠５の外面に滑りを良好にするフッ素などの滑り材を貼着してもよい。
【００４０】
このような目隠し構造体は、横長ルーバー３及び内枠５と止具８とが固定関係にあるため、横長ルーバー３が熱膨張（伸長）すると、止具８の頭部が内枠保持体４の奥壁部４ｃに当たるまで、横長ルーバー３の熱伸長を吸収することができる。しかも、この目隠し構造体のように内枠保持体４が竪枠１と一体に形成されていると、前述した各実施形態の目隠し構造体に比べて、内枠保持体４を竪枠１に組込む作業が不要となるので、組立作業性が向上する利点があり、また、竪枠１が二重壁構造となるので竪枠１の強度も一層向上する利点がある。
【図面の簡単な説明】
【００４１】
【図１】本発明の一実施例に係る目隠し構造体の正面図である。
【図２】図１のＡ−Ａ線拡大断面図である。
【図３】図１のＢ−Ｂ線拡大断面図である。
【図４】横長ルーバーが熱伸長したときの図１のＢ−Ｂ線拡大断面図である。
【図５】横長ルーバーが更に熱伸長したときの図１のＢ−Ｂ線拡大断面図である。
【図６】本発明の他の実施例に係る目隠し構造体の部分拡大断面図である。
【図７】横長ルーバーが熱伸長したときの同目隠し構造体の部分拡大断面図である。
【図８】本発明の更に他の実施例に係る目隠し構造体の部分拡大断面図である。
【図９】横長ルーバーが熱伸長したときの同目隠し構造体の部分拡大断面図である。
【図１０】本発明の更に他の実施例に係る目隠し構造体の部分拡大断面図である。
【図１１】横長ルーバーが熱伸長したときの同目隠し構造体の部分拡大断面図である。
【図１２】本発明の更に他の実施例に係る目隠し構造体の部分拡大断面図である。
【符号の説明】
【００４２】
１    竪枠
１ａ  開口
１ｄ  竪枠の奥壁面
１ｅ  蟻溝
２    横枠
３    横長ルーバー
３ｅ  止具孔
４    内枠保持体
４ｂ  ヒレ部
４ｃ  内枠保持体の奥壁部
４ｄ  凸条
４ｅ  突片
５    内枠
５ａ  内枠の奥壁部
５    軟質発泡体
８  止具
【図１】
2005264440.tif 000003
【図２】
2005264440.tif 000004
【図３】
2005264440.tif 000005
【図４】
2005264440.tif 000006
【図５】
2005264440.tif 000007
【図６】
2005264440.tif 000008
【図７】
2005264440.tif 000009
【図８】
2005264440.tif 000010
【図９】
2005264440.tif 000011
【図１０】
2005264440.tif 000012
【図１１】
2005264440.tif 000013
【図１２】
2005264440.tif 000014